(57)【要約】【課題】従来の掘削土留め工法は、鋼矢板を振動、あるいは円形ケーシングを揺動および回転させながら地中に埋めるという方法をとっていたので、大掛かりな設備を必要とし、コストが高ついた。【解決手段】円形ケーシングを地中に埋める際に、まずケーシングに振動や回転を与えて土の中に埋めるのではなく、ケーシング内を掘る作業とケーシングに下向きに押し下げる力を加えることとを同時に行うことにより、掘りながらケーシングを下げるということを実現し、従来の方法より安価にケーシングを地中に埋めようとするものである。【選択図】図３
2006037695.tif 000002
【特許請求の範囲】
【請求項１】
クラム  シェル  バケットの支柱の油圧で縮む部分と円形ケーシングの上の円の部分とをつなぎ、クラム  シェル  バケットの油圧ジャッキが油圧で縮む際の下へ降りる力が円形ケーシングの上の円の部分に伝わるよう仕組まれたクラム  シェル  バケットの油圧ジャッキと円形ケーシングの上の円の部分とをつなぐ装置。
【請求項２】
クラム  シェル  バケットの油圧ジャッキで縮む部分と円形ケーシングの上の円の部分とをつなぎ、クラム  シェル  バケットの油圧ジャッキが油圧で縮む際の下へ降りる力が円形ケーシングの上の円の円周上を３分割する点に伝わるよう仕組まれた、クラム  シェル  バケットの支柱と円形ケーシングをつなぐ装置。
【請求項３】
クラム  シェル  バケットの油圧ジャッキの油圧で縮む支柱部分の円周上を３分割する３つの点から、円形ケーシングを上の円の円周上を３分割する点を結び、ここをつなぐことによって、クラム  シェル  バケットの油圧ジャッキの支柱部分が下に下りる力が、円形ケーシングの上の円の円周上を３分割する点に伝わるよう仕組まれた、クラム  シェルバケットの支柱と円形ケーシングとをつなぐ装置。
【発明の詳細な説明】
【技術分野】
【０００１】  本発明は、地下に立穴を掘る際に中に入れる円形ケーシングの地下への埋め方に関する。
【背景技術】
【０００２】  従来円形ケーシングを埋める埋め方としては、ケーシングを振動させて圧入するものがある。また、揺動および回転させて埋めていくものもある。【０００３】  その工法は、▲１▼円形ケーシングを地上にセットし、振動や揺動を与えることにより、地中に埋めていく。▲２▼このケーシングを土留めとしながら掘削機でケーシングの中を掘っていくものである。▲３▼深く掘る必要がある場合は、ケーシングを継ぎ足し、振動や揺動を与えることによりさらに地中深くケーシングを埋め込み、その中を掘削機で掘っていく。▲４▼最後に底にコンクリートを打って、作業を終了する。
【発明の開示】
【発明が解決しようとする課題】
【０００４】  以上に述べた従来の円形ケーシング掘削土留め工法では、▲１▼の段階で次の改善点が指摘できる。すなわち、いまだ掘っていない地中に振動および揺動を与えて地中にケーシングを埋め込むにはかなり大きな力を必要とすること。そのため大掛かりな設備を必要とし、費用もかかり、建設コストを押し上げていた。すなわち、揺動型と回転型の両方の設備を用意して、施工現場の地盤の状態に応じて使い分けていたり、揺動型だけの設備で掘削したりしていた（たとえば、特開２００１−３３６３７８がある。）。揺動型、回転型の設備は大掛かりで、このため経費がかさむだけでなく、揺動型と回転型を組み合わせるときは、作業が複雑なものになっていた。【０００５】  さらに、本発明は、主に下水道工事のパイロット管を通す工事のための立坑を掘る工事を想定しており、３．５メートルの深さにまで掘れれば十分である。このとき揺動型や回転型の掘削土留め工法によって正確に垂直に下に押し下げる要求はそれほど高くない。このような工事にあっては、下水道のパイロット管を通す工事ができる空間が確保されれば十分であり、深い穴を掘るに適した、揺動型や回転型の設備は工事が要求する内容に対して大掛かりすぎ、コストがかかるのである。【０００６】  もう一点指摘すれば、従来の工法は、ケーシングを押し下げる段階、掘る段階、と作業工程が分離されていた。これは自然力を使ってケーシングを埋め込むという観点からはロスがある。【０００７】  そこで、この工事内容に見合った工事の方法を提供しようとするのが本発明の趣旨である。従来のコストのかかる方法に対して、低コストでしかも力学的に合理的な方法で円形ケーシングを土中に埋めようとするものである。
【課題を解決するための手段】
【０００８】  本発明は、揺動型の円形ケーシング掘削土留め装置よりさらに低コストでケーシングを穴に埋めることのできる方法を提供するものであるが、適用できる範囲は限られているということは頭に入れなければならない。▲１▼土質が柔らかく、安定していること。▲２▼穴の深さが浅いこと。▲３▼正確に垂直に掘る必要性が高くないこと。の条件内で使用できるものである。土質が硬かったり、大きな石が混ざっていたりした場合は、従来どおり揺動型で、あるいは揺動型と回転型を組み合わせて掘削土留めを行う。本発明は事前の調査により、▲１▼ないし▲３▼の条件が満たされていることを前提に話を進める。【０００９】  本発明は掘削土留めを行うに際し、油圧シリンダーが下がる力を利用して、円形ケーシングに下向きの力を加えて、円形ケーシングを引き下げようとするものである。揺動、回転を行わないのであるから、▲１▼ともすれば傾きやすいこと、▲２▼土留めしてあるところを掘るのではなく、掘りながら土留めをしていくので、この点土砂が崩れる恐れがないか、の課題を解決しなければならない。以下課題の解決について述べる。【００１０】  ▲１▼の課題を解決するためには、下向きの力を加えるに当たって、満遍なく力がかかるようにケーシング引き下げ金具を円形ケーシングに対して正三角形になるように設置する。（第一の方法）【００１１】  さらに次のような方法をとる事により、傾きを防ぐ。
本発明の無振動垂直圧入型円形ケーシングは、ただケーシングを引き下げる力だけに頼って下がっていくのではない。円形ケーシングは、側面の土砂が崩れてくるのを防ぐ作用も果たしており、掘った穴を確保する役割を果たしている。この穴の中の土をクラム  シェル  バケットでかき出す（第二の方法）が、円形ケーシング内の土がかき出されれば、自然にケーシングが下に降りていこうとする力がかかるのである。内側の土をかき出す作業が進むにつれ、地盤が緩んで円形ケーシングは自然に下に入っていこうとするからである。このとき、ケーシングの上部に上から万遍に力をかけてやって（第一の方法）、ケーシングを下に降ろそうとするものである。すなわち、自然に下に向かおうとするケーシングを下へ行くのを援助する力を加える。従来の方法は、【０００７】で述べたごとく、揺動あるいは回転を与えてケーシングを押し下げるときは、まったく掘っていない土地に作業を施しており、かなりの大きな力を必要とした。しかもケーシングを押し下げるときと、中を掘るときに作業が完全に分離されている。これは経済性の観点からも、自然力と自然法則を利用する観点からも非効率である。【００１２】  しかるに本方法は、あくまでケーシングが下へ行こうとする力にこれを援助する形で上からの力を加えるのである。したがって従来の鋼矢板を上から強くたたいて強制的に土の中に押し込める方法とも発想を根本的に異にしている。土質のやわらかく、均一のところでは、揺動させることにより土の中に押し込まなくても、土をかき出す作業に伴い、地盤が緩み、自然にケーシングは下へ入っていく。ここにその作用を助ける力を上からかけてやるのである。【００１３】  気をつけなければならないのは、クラム  シェル  パケットで土を掘る際に、中心がずれ、穴が前後左右どちらかに深く掘れてしまう場合であるが、このような場合にあってはケーシングを垂直に押し下げるために地上部分においては、ケーシングを支えることが不可欠である。この点は従来の方法と変わらない。つまり地上部分でケーシングを支えることによりケーシングの地中への斜めの挿入が防止される。すなわち、緩んだ地盤に対してケーシングに正三角形の頂点から、同じ力で下向きの力をかけてやることに加え、地上部分ではケーシングを水平に支えることによりケーシングの垂直圧入を確保するのである。【００１４】  また、ケーシングの上の円の縁にフックした留め金にどれだけの力を加えればいいのか、かなりの力が要るのではないかという疑問に対しては、従来の方法によっても振動や回転のみによってケーシングを地中に押し下げていたのであり、振動や回転は下に直接かかる力ではなく、むしろ地盤がゆるむことにより、緩んだ地盤に入り込む手段として振動や回転を利用したのであり、それほどの大きな力が必要であったとは思われない。砂にコップを左右に回しながら入れる場合を連想いただきたい。
さらに当方法は、クラム  シェル  パケットでケーシング内の土砂をかき出し、かき出すことによって地盤が緩むことを利用してケーシングを下に押し下げるので、地盤の緩みを利用するという力学的方法は従来の方法と同じである。地盤の緩みは当方法の方が大きいと言え、それゆえ、かかる力は従来の方法より小さくてすむと言える。ただ従来は完全に土留めされているケーシング内だけを掘ることによって土砂崩れの恐れは排除されたが、本発明は、土砂が緩んで崩れてこようとしているところへケーシングが入り込んでいくので、時間的には土砂が崩れそうになるのをケーシングで防ぐという形になる。従来の土砂の崩れを防止してしかる後に、その中を掘るという方法とは発想を異にする。【００１５】  このとき、ケーシングは地中にあり、その先の土砂を掘ることによって周りの地盤が緩む。この緩みはクラム  シェル  パケットで土砂をかき出す量に比例し、この量を調節することにより、土砂の崩れはコントロールできる。すなわちクラム  シェル  パケットで土砂をくみ出す、それに伴い緩んだ地盤の部分ケーシングを下に押し込む、という作業を手順を踏んで順に繰り返すことにより土砂が崩れる恐れはなくなるのである。
【発明の効果】
【００１６】  上述したように、本発明では、ケーシングを穴に埋めるに際し、揺動する工程を省き、掘りながらケーシングを圧入することができ、コストを削減することができる。
【発明を実施するための最良の形態】
【００１７】  以下、本発明の実施の形態を図を使って説明する。【００１８】  図１は従来の方法を図示したものである。すなわち、立坑機によってまず円形ケーシングを固定し、揺動あるいは振動させることによりケーシングを地中に埋め込んでいく。その後ケーシングの中に水を張り、土をやわらかくしてクラム  シェル  パケット付掘削機で土をかき出していた。すなわち、ケーシングを土の中に埋め込む作業と、ケーシング内の土をかき出す作業とは分離されていた。しかるに本発明は図２、図３のごとく、油圧によってクラム  シェル  バケットの油圧ジャッキの支柱の部分が縮むのを利用して、ここからガイドロッドを３本円形ケーシングの上の円の部分に正三角形になるように固定し、これによって円形ケーシングの下向きの力をかけようとするものである。この方法によれば、土をかき出す作業とケーシングを土中に埋め込む作業とを同時に行うことができ、作業効率を上げ、経費を削減できるのである。
【図面の簡単な説明】
【００１９】
【図１】従来の円形ケーシング掘削土留め工法概念図
【図２】本発明の無振動垂直圧入型円形ケーシング掘削土留め工法概念図
【図３】本発明の無振動垂直圧入型円形ケーシング掘削工留め工法概念図
【符号の説明】
【００２１】▲１▼立坑機
▲２▼円形ケーシング
▲３▼クラム  シェル  パケット
▲４▼クラム  シェル  パケット付掘削機
▲５▼油圧ジャッキ
▲６▼ケーシング引き下げ用ガイドロッド
【図１】
2006037695.tif 000003
【図２】
2006037695.tif 000004
【図３】
2006037695.tif 000005